(57)【要約】  本開示は、ディスプレイモードを切り換える方法及び装置に関し、端末技術分野に属する。前記方法は、左から右に第１のボタン、第２のボタン、及び第３のボタンとなるように移動端末のディスプレイインターフェースに配置されている３つのボタンを少なくとも有する移動端末において用いられる。前記方法は、少なくとも２つのボタンを逐次トリガーするイベントを検出及び取得すること、現在ディスプレイモードを取得すること、前記少なくとも２つのボタンを逐次トリガーするイベントのトリガー方式及び前記現在ディスプレイモードに従ってスクリーンのディスプレイモードを切り換えることを含む。前記ディスプレイモードは、フルスクリーンモード、左方スケーリングモード、及び右方スケーリングモードを含む。本開示では、ディスプレイモードは、端末自体のボタンの様々なトリガー方式及び現在ディスプレイモードに従って切り換えられるので、操作の複雑性が低減され、異なるディスプレイモード間の切り換えの問題が解決され、また、様々なユーザの利き手に適している。【選択図】なし
2017510915.tif 000002
【特許請求の範囲】
【請求項１】
ディスプレイモードを切り換える方法であって、左から右に第１のボタン、第２のボタン、及び第３のボタンとなるように移動端末のディスプレイインターフェースに配置されている３つのボタンを少なくとも有する移動端末において用いられ、
少なくとも２つのボタンを逐次トリガーするイベントを検出及び取得すること、
現在ディスプレイモードを取得すること、
前記少なくとも２つのボタンを逐次トリガーするイベントのトリガー方式及び前記現在ディスプレイモードに従ってスクリーンのディスプレイモードを切り換えること
を含み、
前記ディスプレイモードが、フルスクリーンモード、左方スケーリングモード、及び右方スケーリングモードを含むことを特徴とする方法。
【請求項２】
前記少なくとも２つのボタンを逐次トリガーするイベントを検出及び取得することが、
予め登録されているモニターを取得すること、
前記モニターに基づいて、前記少なくとも２つのボタンを逐次トリガーするイベントを検出及び取得すること
を含む請求項１に記載の方法。
【請求項３】
前記モニターに基づいて、前記少なくとも２つのボタンを逐次トリガーするイベントを検出及び取得することが、
任意のボタンがトリガーされたことが検出されたとき、前記モニターに従って第１のボタンパラメータを取得すること、
ボタンパラメータとボタンとの間の対応関係に従って前記第１のボタンパラメータに対応するボタンを取得すること、
前記ボタンが第２のボタンであったとき、タイマーを起動すること、
前記タイマーの時間が所定の時間に達する前に第２のボタンパラメータが取得された場合、前記少なくとも２つのボタンを逐次トリガーするイベントが取得されたと判定すること
を含む請求項２に記載の方法。
【請求項４】
前記モニターに従って第１のボタンパラメータを取得することが、
任意のボタンがトリガーされたことが検出されたとき、タイマーにおいてｏｎＫｅｙＥｖｅｎｔ関数を呼び出し、ｋｅｙＥｖｅｎｔ関数を呼び出し、更に、ｇｅｔＫｅｙＣｏｄｅ関数を呼び出すこと、
前記ｇｅｔＫｅｙＣｏｄｅ関数に従って前記第１のボタンパラメータを取得すること
を含む請求項３に記載の方法。
【請求項５】
前記現在ディスプレイモードを取得することが、
現在モードパラメータを取得すること、
ディスプレイモードとモードパラメータとの間の対応関係に従って前記現在モードパラメータに対応する現在ディスプレイモードを取得すること
を含む請求項１に記載の方法。
【請求項６】
前記ディスプレイモードとモードパラメータとの間の対応関係に従って前記現在モードパラメータに対応する現在ディスプレイモードを取得することが、
前記モードパラメータが第１のパラメータであったとき、前記ディスプレイモードとモードパラメータとの間の対応関係に従って、前記第１のパラメータに対応する現在ディスプレイモードを前記フルスクリーンモードとして取得すること、
前記モードパラメータが第２のパラメータであったとき、前記ディスプレイモードとモードパラメータとの間の対応関係に従って、前記第２のパラメータに対応する現在ディスプレイモードを前記左方スケーリングモードとして取得すること、
前記モードパラメータが第３のパラメータであったとき、前記ディスプレイモードとモードパラメータとの間の対応関係に従って、前記第３のパラメータに対応する現在ディスプレイモードを前記右方スケーリングモードとして取得すること
を含む請求項５に記載の方法。
【請求項７】
前記少なくとも２つのボタンを逐次トリガーするイベントのトリガー方式及び前記現在ディスプレイモードに従ってスクリーンのディスプレイモードを切り換えることが、
前記少なくとも２つのボタンを逐次トリガーするイベントに従って前記少なくとも２つのボタンの前記トリガー方式を連続タップモードと判定すること、
前記連続タップモード及び前記現在ディスプレイモードに従って、前記スクリーンのディスプレイモードを切り換えること
を含む請求項１に記載の方法。
【請求項８】
前記連続タップモードが、左にスライドさせる連続タップ及び右にスライドさせる連続タップを含み、
前記少なくとも２つのボタンを逐次トリガーするイベントに従って前記少なくとも２つのボタンの前記トリガー方式を連続タップモードと判定することが、
トリガーされたボタンが少なくとも前記第１のボタン及び前記第２のボタンを含み且つ前記少なくとも２つのボタンにおけるタッチ操作のスライド経路が左向きであったとき、前記少なくとも２つのボタンの前記トリガー方式を前記左にスライドさせる連続タップと判定すること、
前記トリガーされたボタンが少なくとも前記第３のボタン及び前記第２のボタンを含み且つ前記少なくとも２つのボタンにおけるタッチ操作のスライド経路が右向きであるとき、前記少なくとも２つのボタンの前記トリガー方式を前記右にスライドさせる連続タップと判定すること
を含む請求項７に記載の方法。
【請求項９】
前記連続タップモード及び前記現在ディスプレイモードに従って、前記スクリーンのディスプレイモードを切り換えることが、
前記連続タップモードが前記左にスライドさせる連続タップであり且つ前記現在ディスプレイモードが前記フルスクリーンモードであったとき、前記フルスクリーンモードを前記左方スケーリングモードに切り換えること、
前記連続タップモードが前記右にスライドさせる連続タップであり且つ前記現在ディスプレイモードが前記フルスクリーンモードであったとき、前記フルスクリーンモードを前記右方スケーリングモードに切り換えること、
前記連続タップモードが前記左にスライドさせる連続タップであり且つ前記現在ディスプレイモードが前記左方スケーリングモードであったとき、前記左方スケーリングモードを前記フルスクリーンモードに切り換えること、
前記連続タップモードが前記右にスライドさせる連続タップであり且つ前記現在ディスプレイモードが前記左方スケーリングモードであったとき、前記左方スケーリングモードを前記右方スケーリングモード又は前記フルスクリーンモードに切り換えること、
前記連続タップモードが前記左にスライドさせる連続タップであり且つ前記現在ディスプレイモードが前記右方スケーリングモードであったとき、前記右方スケーリングモードを前記左方スケーリングモード又は前記フルスクリーンモードに切り換えること、
前記連続タップモードが前記右にスライドさせる連続タップであり且つ前記現在ディスプレイモードが前記右方スケーリングモードであったとき、前記右方スケーリングモードを前記フルスクリーンモードに切り換えること
を含む請求項８に記載の方法。
【請求項１０】
ディスプレイモードを切り換える装置であって、左から右に第１のボタン、第２のボタン、及び第３のボタンとなるように移動端末のディスプレイインターフェースに配置されている３つのボタンを少なくとも有する移動端末において用いられ、
少なくとも２つのボタンを逐次トリガーするイベントを検出及び取得するようになっている検出及び取得モジュール、
現在ディスプレイモードを取得するようになっている取得モジュール、
前記少なくとも２つのボタンを逐次トリガーするイベントのトリガー方式及び前記現在ディスプレイモードに従ってスクリーンのディスプレイモードを切り換えるようになっている切り換えモジュール
を含み、
前記ディスプレイモードが、フルスクリーンモード、左方スケーリングモード、及び右方スケーリングモードを含むことを特徴とする装置。
【請求項１１】
前記検出及び取得モジュールが、
予め登録されているモニターを取得するようになっている取得ユニット、
前記モニターに基づいて、前記少なくとも２つのボタンを逐次トリガーするイベントを検出及び取得するようになっている検出及び取得ユニット
を含む請求項１０に記載の装置。
【請求項１２】
前記検出及び取得ユニットが、
任意のボタンがトリガーされたことが検出されたとき、前記モニターに従って第１のボタンパラメータを取得するようになっている第１の取得サブユニット、
ボタンパラメータとボタンとの間の対応関係に従って前記第１のボタンパラメータに対応するボタンを取得するようになっている第２の取得サブユニット、
前記ボタンが第２のボタンであったとき、タイマーを起動するようになっている起動サブユニット、
前記タイマーの時間が所定の時間に達する前に第２のボタンパラメータが取得された場合、前記少なくとも２つのボタンを逐次トリガーするイベントが取得されたと判定するようになっている判定サブユニット
を含む請求項１１に記載の装置。
【請求項１３】
前記第１の取得サブユニットが、任意のボタンがトリガーされたことが検出されたとき、タイマーにおいてｏｎＫｅｙＥｖｅｎｔ関数を呼び出し、ｋｅｙＥｖｅｎｔ関数を呼び出し、更に、ｇｅｔＫｅｙＣｏｄｅ関数を呼び出し、
前記ｇｅｔＫｅｙＣｏｄｅ関数に従って前記第１のボタンパラメータを取得するようになっている請求項１２に記載の装置。
【請求項１４】
前記取得モジュールが、現在モードパラメータを取得し、
ディスプレイモードとモードパラメータとの間の対応関係に従って前記現在モードパラメータに対応する現在ディスプレイモードを取得するようになっている請求項１０に記載の装置。
【請求項１５】
前記取得モジュールが、前記モードパラメータが第１のパラメータであったとき、前記ディスプレイモードとモードパラメータとの間の対応関係に従って、前記第１のパラメータに対応する現在ディスプレイモードを前記フルスクリーンモードとして取得するようになっており、
前記取得モジュールが、前記モードパラメータが第２のパラメータであったとき、前記ディスプレイモードとモードパラメータとの間の対応関係に従って、前記第２のパラメータに対応する現在ディスプレイモードを前記左方スケーリングモードとして取得するようになっており、
前記取得モジュールが、前記モードパラメータが第３のパラメータであったとき、前記ディスプレイモードとモードパラメータとの間の対応関係に従って、前記第３のパラメータに対応する現在ディスプレイモードを前記右方スケーリングモードとして取得するようになっている請求項１４に記載の装置。
【請求項１６】
前記切り換えモジュールが、
前記少なくとも２つのボタンを逐次トリガーするイベントに従って前記少なくとも２つのボタンの前記トリガー方式を連続タップモードと判定するようになっている判定ユニット、
前記連続タップモード及び前記現在ディスプレイモードに従って、前記スクリーンのディスプレイモードを切り換えるようになっている切り換えユニット
を含む請求項１４に記載の装置。
【請求項１７】
前記連続タップモードが、左にスライドさせる連続タップ及び右にスライドさせる連続タップを含み、
前記判定ユニットが、トリガーされたボタンが少なくとも前記第１のボタン及び前記第２のボタンを含み且つ前記少なくとも２つのボタンにおけるタッチ操作のスライド経路が左向きであったとき、前記少なくとも２つのボタンの前記トリガー方式を前記左にスライドさせる連続タップと判定するようになっており、
前記判定ユニットが、トリガーされたボタンが少なくとも前記第３のボタン及び前記第２のボタンを含み且つ前記少なくとも２つのボタンにおけるタッチ操作のスライド経路が右向きであったとき、前記少なくとも２つのボタンの前記トリガー方式を前記右にスライドさせる連続タップと判定するようになっている請求項１６に記載の装置。
【請求項１８】
前記切り換えユニットが、前記連続タップモードが前記左にスライドさせる連続タップであり且つ前記現在ディスプレイモードが前記フルスクリーンモードであったとき、前記フルスクリーンモードを前記左方スケーリングモードに切り換えるようになっており、
前記切り換えユニットが、前記連続タップモードが前記右にスライドさせる連続タップであり且つ前記現在ディスプレイモードが前記フルスクリーンモードであったとき、前記フルスクリーンモードを前記右方スケーリングモードに切り換えるようになっており、
前記切り換えユニットが、前記連続タップモードが前記左にスライドさせる連続タップであり且つ前記現在ディスプレイモードが前記左方スケーリングモードであったとき、前記左方スケーリングモードを前記フルスクリーンモードに切り換えるようになっており、
前記切り換えユニットが、前記連続タップモードが前記右にスライドさせる連続タップであり且つ前記現在ディスプレイモードが前記左方スケーリングモードであったとき、前記左方スケーリングモードを前記右方スケーリングモード又は前記フルスクリーンモードに切り換えるようになっており、
前記切り換えユニットが、前記連続タップモードが前記左にスライドさせる連続タップであり且つ前記現在ディスプレイモードが前記右方スケーリングモードであったとき、前記右方スケーリングモードを前記左方スケーリングモード又は前記フルスクリーンモードに切り換えるようになっており、
前記切り換えユニットが、前記連続タップモードが前記右にスライドさせる連続タップであり且つ前記現在ディスプレイモードが前記右方スケーリングモードであったとき、前記右方スケーリングモードを前記フルスクリーンモードに切り換えるようになっている請求項１７に記載の装置。
【請求項１９】
ディスプレイモードを切り換える装置であって、左から右に第１のボタン、第２のボタン、及び第３のボタンとなるように移動端末のディスプレイインターフェースに配置されている３つのボタンを少なくとも有する移動端末において用いられ、
プロセッサ、
前記プロセッサによって実行可能な命令を保存するようになっているメモリ
を含み、
前記プロセッサが、
少なくとも２つのボタンを逐次トリガーするイベントを検出及び取得し、
現在ディスプレイモードを取得し、
前記少なくとも２つのボタンを逐次トリガーするイベントのトリガー方式及び前記現在ディスプレイモードに従ってスクリーンのディスプレイモードを切り換えるようになっており、
前記ディスプレイモードが、フルスクリーンモード、左方スケーリングモード、及び右方スケーリングモードを含むことを特徴とする装置。
【発明の詳細な説明】
【技術分野】
【０００１】
本願は、２０１５年１月１５日出願の中国特許出願第２０１５１００１９５６７．８号に基づき、これに対する優先権を主張し、全文を参照することによって本明細書に援用する。
【０００２】
本開示は、一般的に、端末技術分野、より具体的には、ディスプレイモードを切り換える方法及び装置に関する。
【背景技術】
【０００３】
移動端末の普及及び開発に伴って、移動端末では狭額縁タッチ技術が広く用いられるようになっている。一方、５．０インチ及び５．７インチのサイズを有する移動端末等、大画面を有する様々な移動端末が出現している。ユーザは、より大画面を有する移動端末の使用中に高度な経験を楽しみながら、大画面を有する移動端末を片手で持つことによって有効に操作することは困難であることに気付いている。
【０００４】
ユーザの操作性の問題を解決するためには、移動端末のディスプレイモードを一般的にフルスクリーンモードから片手操作モード（少なくとも左方スケーリングモード又は右方スケーリングモードを含む）に切り換えることが一般的に必要である。フルスクリーンモードから片手操作モードに切り換える過程では、移動端末に搭載されているジャイロスコープを用いることができる。ユーザが移動端末を振ると、ジャイロスコープは、振動操作を検出し、前記振動操作をトリガーとして現在ディスプレイモードがフルスクリーンモードから片手操作モードに切り換えられる。フルスクリーンモードを片手操作モードに切り換える過程では、モード設定ページを提供してもよく、前記モード設定ページには少なくとも第１の選択肢及び第２の選択肢が含まれ得る。第１の選択肢は、フルスクリーンモードを片手操作モードに切り換えるようになっており、第２の選択肢は、片手操作モードをフルスクリーンモードに切り換えるようになっている。第１の選択肢が選択されたことを検出すると、端末は、現在ディスプレイモードをフルスクリーンモードから片手操作モードに切り換える。
【発明の概要】
【発明が解決しようとする課題】
【０００５】
関連分野における既存の問題を解決するために、本開示は、ディスプレイモードを切り換える方法及び装置を提供する。
【課題を解決するための手段】
【０００６】
本開示の実施形態の第１の態様によれば、ディスプレイモードを切り換える方法であって、左から右に第１のボタン、第２のボタン、及び第３のボタンとなるように移動端末のディスプレイインターフェースに配置されている３つのボタンを少なくとも有する移動端末に適用され、
少なくとも２つのボタンを逐次トリガーするイベントを検出及び取得すること、
現在ディスプレイモードを取得すること、
前記少なくとも２つのボタンを逐次トリガーするイベントのトリガー方式及び前記現在ディスプレイモードに従ってスクリーンのディスプレイモードを切り換えること
を含み、
前記ディスプレイモードが、フルスクリーンモード、左方スケーリングモード、及び右方スケーリングモードを含む方法を提供する。
【０００７】
本開示の別の実施形態では、前記少なくとも２つのボタンを逐次トリガーするイベントを検出及び取得することは、
予め登録されているモニターを取得すること、
前記モニターに基づいて、前記少なくとも２つのボタンを逐次トリガーするイベントを検出及び取得すること
を含む。
【０００８】
本開示の別の実施形態では、前記モニターに基づいて前記少なくとも２つのボタンを逐次トリガーするイベントを検出及び取得することは、
任意のボタンがトリガーされたことが検出されたとき、前記モニターに従って第１のボタンパラメータを取得すること、
ボタンパラメータとボタンとの間の対応関係に従って前記第１のボタンパラメータに対応するボタンを取得すること、
前記ボタンが第２のボタンであったとき、タイマーを起動すること、
前記タイマーの時間が所定の時間に達する前に第２のボタンパラメータが取得された場合、前記少なくとも２つのボタンを逐次トリガーするイベントが取得されたと判定すること
を含む。
【０００９】
本開示の別の実施形態では、前記モニターに従って第１のボタンパラメータを取得することは、
任意のボタンがトリガーされたことが検出されたとき、タイマーにおいてｏｎＫｅｙＥｖｅｎｔ関数を呼び出し、ｋｅｙＥｖｅｎｔ関数を呼び出し、更に、ｇｅｔＫｅｙＣｏｄｅ関数を呼び出すこと、
前記ｇｅｔＫｅｙＣｏｄｅ関数に従って前記第１のボタンパラメータを取得すること
を含む。
【００１０】
本開示の別の実施形態では、前記現在ディスプレイモードを取得することは、
現在モードパラメータを取得すること、
ディスプレイモードとモードパラメータとの間の対応関係に従って前記現在モードパラメータに対応する現在ディスプレイモードを取得すること
を含む。
【００１１】
本開示の別の実施形態では、前記ディスプレイモードとモードパラメータとの間の対応関係に従って前記現在モードパラメータに対応する現在ディスプレイモードを取得することは、
前記モードパラメータが第１のパラメータであったとき、前記ディスプレイモードとモードパラメータとの間の対応関係に従って、前記第１のパラメータに対応する現在ディスプレイモードを前記フルスクリーンモードとして取得すること、
前記モードパラメータが第２のパラメータであったとき、前記ディスプレイモードとモードパラメータとの間の対応関係に従って、前記第２のパラメータに対応する現在ディスプレイモードを前記左方スケーリングモードとして取得すること、
前記モードパラメータが第３のパラメータであったとき、前記ディスプレイモードとモードパラメータとの間の対応関係に従って、前記第３のパラメータに対応する現在ディスプレイモードを前記右方スケーリングモードとして取得すること
を含む。
【００１２】
本開示の別の実施形態では、前記少なくとも２つのボタンを逐次トリガーするイベントのトリガー方式及び前記現在ディスプレイモードに従ってスクリーンのディスプレイモードを切り換えることは、
前記少なくとも２つのボタンを逐次トリガーするイベントに従って前記少なくとも２つのボタンの前記トリガー方式を連続タップモードと判定すること、
前記連続タップモード及び前記現在ディスプレイモードに従って、前記スクリーンのディスプレイモードを切り換えること
を含む。
【００１３】
本開示の別の実施形態では、前記連続タップモードは、左にスライドさせる連続タップ及び右にスライドさせる連続タップを含み、
前記少なくとも２つのボタンを逐次トリガーするイベントに従って前記少なくとも２つのボタンの前記トリガー方式を連続タップモードと判定することは、
トリガーされたボタンが少なくとも前記第１のボタン及び前記第２のボタンを含み且つ前記少なくとも２つのボタンにおけるタッチ操作のスライド経路が左向きであったとき、前記少なくとも２つのボタンの前記トリガー方式を前記左にスライドさせる連続タップと判定すること、
前記トリガーされたボタンが少なくとも前記第３のボタン及び前記第２のボタンを含み且つ前記少なくとも２つのボタンにおけるタッチ操作のスライド経路が右向きであるとき、前記少なくとも２つのボタンの前記トリガー方式を前記右にスライドさせる連続タップと判定すること
を含む。
【００１４】
本開示の別の実施形態では、前記連続タップモード及び前記現在ディスプレイモードに従って、前記スクリーンのディスプレイモードを切り換えることは、
前記連続タップモードが前記左にスライドさせる連続タップであり且つ前記現在ディスプレイモードが前記フルスクリーンモードであったとき、前記フルスクリーンモードを前記左方スケーリングモードに切り換えること、
前記連続タップモードが前記右にスライドさせる連続タップであり且つ前記現在ディスプレイモードが前記フルスクリーンモードであったとき、前記フルスクリーンモードを前記右方スケーリングモードに切り換えること、
前記連続タップモードが前記左にスライドさせる連続タップであり且つ前記現在ディスプレイモードが前記左方スケーリングモードであったとき、前記左方スケーリングモードを前記フルスクリーンモードに切り換えること、
前記連続タップモードが前記右にスライドさせる連続タップであり且つ前記現在ディスプレイモードが前記左方スケーリングモードであったとき、前記左方スケーリングモードを前記右方スケーリングモード又は前記フルスクリーンモードに切り換えること、
前記連続タップモードが前記左にスライドさせる連続タップであり且つ前記現在ディスプレイモードが前記右方スケーリングモードであったとき、前記右方スケーリングモードを前記左方スケーリングモード又は前記フルスクリーンモードに切り換えること、
前記連続タップモードが前記右にスライドさせる連続タップであり且つ前記現在ディスプレイモードが前記右方スケーリングモードであったとき、前記右方スケーリングモードを前記フルスクリーンモードに切り換えること
を含む。
【００１５】
本開示の実施形態の第２の態様によれば、ディスプレイモードを切り換える装置であって、左から右に第１のボタン、第２のボタン、及び第３のボタンとなるように移動端末のディスプレイインターフェースに配置されている３つのボタンを少なくとも有する移動端末において用いられ、
少なくとも２つのボタンを逐次トリガーするイベントを検出及び取得するようになっている検出及び取得モジュール、
現在ディスプレイモードを取得するようになっている取得モジュール、
前記少なくとも２つのボタンを逐次トリガーするイベントのトリガー方式及び前記現在ディスプレイモードに従ってスクリーンのディスプレイモードを切り換えるようになっている切り換えモジュール
を含み、
前記ディスプレイモードが、フルスクリーンモード、左方スケーリングモード、及び右方スケーリングモードを含む装置を提供する。
【００１６】
本開示の別の実施形態では、前記検出及び取得モジュールは、
予め登録されているモニターを取得するようになっている取得ユニット、
前記モニターに基づいて、前記少なくとも２つのボタンを逐次トリガーするイベントを検出及び取得するようになっている検出及び取得ユニット
を含む。
【００１７】
本開示の別の実施形態では、前記検出及び取得ユニットは、
任意のボタンがトリガーされたことが検出されたとき、前記モニターに従って第１のボタンパラメータを取得するようになっている第１の取得サブユニット、
ボタンパラメータとボタンとの間の対応関係に従って前記第１のボタンパラメータに対応するボタンを取得するようになっている第２の取得サブユニット、
前記ボタンが第２のボタンであったとき、タイマーを起動するようになっている起動サブユニット、
前記タイマーの時間が所定の時間に達する前に第２のボタンパラメータが取得された場合、前記少なくとも２つのボタンを逐次トリガーするイベントが取得されたと判定するようになっている判定サブユニット
を含む。
【００１８】
本開示の別の実施形態では、前記第１の取得サブユニットは、任意のボタンがトリガーされたことが検出されたとき、タイマーにおいてｏｎＫｅｙＥｖｅｎｔ関数を呼び出し、ｋｅｙＥｖｅｎｔ関数を呼び出し、更に、ｇｅｔＫｅｙＣｏｄｅ関数を呼び出し、
前記ｇｅｔＫｅｙＣｏｄｅ関数に従って前記第１のボタンパラメータを取得するようになっている。
【００１９】
本開示の別の実施形態では、前記取得モジュールは、現在モードパラメータを取得し、
ディスプレイモードとモードパラメータとの間の対応関係に従って前記現在モードパラメータに対応する現在ディスプレイモードを取得するようになっている。
【００２０】
本開示の別の実施形態では、前記取得モジュールは、前記モードパラメータが第１のパラメータであったとき、前記ディスプレイモードとモードパラメータとの間の対応関係に従って、前記第１のパラメータに対応する現在ディスプレイモードを前記フルスクリーンモードとして取得するようになっており、
前記取得モジュールは、前記モードパラメータが第２のパラメータであったとき、前記ディスプレイモードとモードパラメータとの間の対応関係に従って、前記第２のパラメータに対応する現在ディスプレイモードを前記左方スケーリングモードとして取得するようになっており、
前記取得モジュールは、前記モードパラメータが第３のパラメータであったとき、前記ディスプレイモードとモードパラメータとの間の対応関係に従って、前記第３のパラメータに対応する現在ディスプレイモードを前記右方スケーリングモードとして取得するようになっている。
【００２１】
本開示の別の実施形態では、前記切り換えモジュールは、
前記少なくとも２つのボタンを逐次トリガーするイベントに従って前記少なくとも２つのボタンの前記トリガー方式を連続タップモードと判定するようになっている判定ユニット、
前記連続タップモード及び前記現在ディスプレイモードに従って、前記スクリーンのディスプレイモードを切り換えるようになっている切り換えユニット
を含む。
【００２２】
本開示の別の実施形態では、前記連続タップモードは、左にスライドさせる連続タップ及び右にスライドさせる連続タップを含み、
前記判定ユニットは、トリガーされたボタンが少なくとも前記第１のボタン及び前記第２のボタンを含み且つ前記少なくとも２つのボタンにおけるタッチ操作のスライド経路が左向きであったとき、前記少なくとも２つのボタンの前記トリガー方式を前記左にスライドさせる連続タップと判定するようになっており、
前記判定ユニットは、トリガーされたボタンが少なくとも前記第３のボタン及び前記第２のボタンを含み且つ前記少なくとも２つのボタンにおけるタッチ操作のスライド経路が右向きであったとき、前記少なくとも２つのボタンの前記トリガー方式を前記右にスライドさせる連続タップと判定するようになっている。
【００２３】
本開示の別の実施形態では、前記切り換えユニットは、前記連続タップモードが前記左にスライドさせる連続タップであり且つ前記現在ディスプレイモードが前記フルスクリーンモードであったとき、前記フルスクリーンモードを前記左方スケーリングモードに切り換えるようになっており、
前記切り換えユニットは、前記連続タップモードが前記右にスライドさせる連続タップであり且つ前記現在ディスプレイモードが前記フルスクリーンモードであったとき、前記フルスクリーンモードを前記右方スケーリングモードに切り換えるようになっており、
前記切り換えユニットは、前記連続タップモードが前記左にスライドさせる連続タップであり且つ前記現在ディスプレイモードが前記左方スケーリングモードであったとき、前記左方スケーリングモードを前記フルスクリーンモードに切り換えるようになっており、
前記切り換えユニットは、前記連続タップモードが前記右にスライドさせる連続タップであり且つ前記現在ディスプレイモードが前記左方スケーリングモードであったとき、前記左方スケーリングモードを前記右方スケーリングモード又は前記フルスクリーンモードに切り換えるようになっており、
前記切り換えユニットは、前記連続タップモードが前記左にスライドさせる連続タップであり且つ前記現在ディスプレイモードが前記右方スケーリングモードであったとき、前記右方スケーリングモードを前記左方スケーリングモード又は前記フルスクリーンモードに切り換えるようになっており、
前記切り換えユニットは、前記連続タップモードが前記右にスライドさせる連続タップであり且つ前記現在ディスプレイモードが前記右方スケーリングモードであったとき、前記右方スケーリングモードを前記フルスクリーンモードに切り換えるようになっている。
【００２４】
本開示の実施形態の第３の態様によれば、ディスプレイモードを切り換える装置であって、左から右に第１のボタン、第２のボタン、及び第３のボタンとなるように移動端末のディスプレイインターフェースに配置されている３つのボタンを少なくとも有する移動端末において用いられ、
プロセッサ、
前記プロセッサによって実行可能な命令を保存するようになっているメモリ
を含み、
前記プロセッサが、
少なくとも２つのボタンを逐次トリガーするイベントを検出及び取得し、
現在ディスプレイモードを取得し、
前記少なくとも２つのボタンを逐次トリガーするイベントのトリガー方式及び前記現在ディスプレイモードに従ってスクリーンのディスプレイモードを切り換えるようになっており、
前記ディスプレイモードが、フルスクリーンモード、左方スケーリングモード、及び右方スケーリングモードを含む装置を提供する。
【００２５】
本開示の実施形態によって提供される技術的解決策は、以下の有益な効果を有し得る。
【００２６】
少なくとも２つのボタンを逐次トリガーするイベントが検出された後、前記少なくとも２つのボタンを逐次トリガーするイベントのトリガー方式及び現在ディスプレイモードに従ってスクリーンのディスプレイモードが切り換えられる。ディスプレイモードは、端末自体のボタンの様々なトリガー方式及び現在ディスプレイモードに従って切り換えられるので、操作の複雑性が低減され、異なるディスプレイモード間の切り換えの問題が解決され、また、様々なユーザの利き手に適している。
【００２７】
前述の概説及び以下の詳細な説明はいずれも例示及び説明のためだけに提供されるものであり、特許請求の範囲のように本発明を限定するものではないことを理解されたい。
【図面の簡単な説明】
【００２８】
本明細書の一部に組み込まれ且つ本明細書の一部を構成する添付図面は、本発明に一致する実施形態を示し、明細書の記載と共に、本発明の原理を説明するためのものである。
【図１】図１は、例示的な実施形態に係るディスプレイモードを切り換える方法を示すフローチャートである。
【図２】図２は、例示的な実施形態に係るディスプレイモードを切り換える方法を示すフローチャートである。
【図３】図３は、例示的な実施形態に係るスクリーンディスプレイを示す概略図である。
【図４】図４は、例示的な実施形態に係るスクリーンディスプレイを示す概略図である。
【図５】図５は、例示的な実施形態に係るスクリーンディスプレイを示す概略図である。
【図６】図６は、例示的な実施形態に係るスクリーンディスプレイを示す概略図である。
【図７】図７は、例示的な実施形態に係るスクリーンディスプレイを示す概略図である。
【図８】図８は、例示的な実施形態に係るスクリーンディスプレイを示す概略図である。
【図９】図９は、例示的な実施形態に係るスクリーンディスプレイを示す概略図である。
【図１０】図１０は、例示的な実施形態に係るスクリーンディスプレイを示す概略図である。
【図１１】図１１は、例示的な実施形態に係るスクリーンディスプレイを示す概略図である。
【図１２】図１２は、例示的な実施形態に係るスクリーンディスプレイを示す概略図である。
【図１３】図１３は、例示的な実施形態に係るスクリーンディスプレイを示す概略図である。
【図１４】図１４は、例示的な実施形態に係るディスプレイモードを切り換える装置を示すブロック図である。
【図１５】図１５は、例示的な実施形態に係るディスプレイモードを切り換える装置を示すブロック図である。
【発明を実施するための形態】
【００２９】
例示的な実施例については、添付図面の例を参照して詳細に説明する。以下の説明は、添付図面を参照しており、特に定めのない限り、異なる図面における同じ番号は、同じ又は類似の要素を示している。例示的な実施例の以下の説明に記載されている実施は、本発明に一致する全ての実施を示すものではない。その代わり、添付の特許請求の範囲に記載されている本発明に関連する態様と一致する装置及び方法の単なる例にすぎない。
【００３０】
図１は、例示的な実施形態に係るディスプレイモードを切り換える方法のフローチャートである。図１を参照すると、前記方法は、左から右に第１のボタン、第２のボタン、及び第３のボタンとなるように移動端末のディスプレイインターフェースに配置されている３つのボタンを少なくとも有する移動端末において用いられ、以下の工程を含む。
【００３１】
工程Ｓ１０１では、少なくとも２つのボタンを逐次トリガーするイベントを検出及び取得する。
【００３２】
工程Ｓ１０２では、現在ディスプレイモードを取得する。
【００３３】
工程Ｓ１０３では、少なくとも２つのボタンを逐次トリガーするイベントのトリガー方式及び現在ディスプレイモードに従ってスクリーンのディスプレイモードを切り換える。ディスプレイモードは、フルスクリーンモード、左方スケーリングモード、及び右方スケーリングモードを含む。
【００３４】
本開示の実施形態によって提供される方法では、少なくとも２つのボタンを逐次トリガーするイベントが検出された後、少なくとも２つのボタンを逐次トリガーするイベントのトリガー方式及び現在ディスプレイモードに従ってスクリーンのディスプレイモードが切り換えられる。ディスプレイモードは、端末自体のボタンの様々なトリガー方式及び現在ディスプレイモードに従って切り換えられるので、操作の複雑性が低減され、異なるディスプレイモード間の切り換えの問題が解決され、また、様々なユーザの利き手に適している。
【００３５】
本開示の別の実施形態では、少なくとも２つのボタンを逐次トリガーするイベントを検出及び取得することは、
予め登録されているモニターを取得すること、
前記モニターに基づいて、前記少なくとも２つのボタンを逐次トリガーするイベントを検出及び取得すること
を含む。
【００３６】
本開示の別の実施形態では、前記モニターに基づいて前記少なくとも２つのボタンを逐次トリガーするイベントを検出及び取得することは、
任意のボタンがトリガーされたことが検出されたとき、前記モニターに従って第１のボタンパラメータを取得すること、
ボタンパラメータとボタンとの間の対応関係に従って前記第１のボタンパラメータに対応するボタンを取得すること、
前記ボタンが第２のボタンであったとき、タイマーを起動すること、
前記タイマーの時間が所定の時間に達する前に第２のボタンパラメータが取得された場合、前記少なくとも２つのボタンを逐次トリガーするイベントが取得されたと判定すること
を含む。
【００３７】
本開示の別の実施形態では、前記モニターに従って第１のボタンパラメータを取得することは、
任意のボタンがトリガーされたことが検出されたとき、タイマーにおいてｏｎＫｅｙＥｖｅｎｔ関数を呼び出し、ｋｅｙＥｖｅｎｔ関数を呼び出し、更に、ｇｅｔＫｅｙＣｏｄｅ関数を呼び出すこと、
前記ｇｅｔＫｅｙＣｏｄｅ関数に従って前記第１のボタンパラメータを取得すること
を含む。
【００３８】
本開示の別の実施形態では、現在ディスプレイモードを取得することは、
現在モードパラメータを取得すること、
ディスプレイモードとモードパラメータとの間の対応関係に従って前記現在モードパラメータに対応する現在ディスプレイモードを取得すること
を含む。
【００３９】
本開示の別の実施形態では、前記ディスプレイモードとモードパラメータとの間の対応関係に従って前記現在モードパラメータに対応する現在ディスプレイモードを取得することは、
前記モードパラメータが第１のパラメータであったとき、前記ディスプレイモードとモードパラメータとの間の対応関係に従って、前記第１のパラメータに対応する現在ディスプレイモードを前記フルスクリーンモードとして取得すること、
前記モードパラメータが第２のパラメータであったとき、前記ディスプレイモードとモードパラメータとの間の対応関係に従って、前記第２のパラメータに対応する現在ディスプレイモードを前記左方スケーリングモードとして取得すること、
前記モードパラメータが第３のパラメータであったとき、前記ディスプレイモードとモードパラメータとの間の対応関係に従って、前記第３のパラメータに対応する現在ディスプレイモードを前記右方スケーリングモードとして取得すること
を含む。
【００４０】
本開示の別の実施形態では、前記少なくとも２つのボタンを逐次トリガーするイベントのトリガー方式及び前記現在ディスプレイモードに従ってスクリーンのディスプレイモードを切り換えることは、
前記少なくとも２つのボタンを逐次トリガーするイベントに従って前記少なくとも２つのボタンの前記トリガー方式を連続タップモードと判定すること、
前記連続タップモード及び前記現在ディスプレイモードに従って、前記スクリーンのディスプレイモードを切り換えること
を含む。
【００４１】
本開示の別の実施形態では、前記連続タップモードは、左にスライドさせる連続タップ及び右にスライドさせる連続タップを含み、
前記少なくとも２つのボタンを逐次トリガーするイベントに従って前記少なくとも２つのボタンの前記トリガー方式を連続タップモードと判定することは、
トリガーされたボタンが少なくとも前記第１のボタン及び前記第２のボタンを含み且つ前記少なくとも２つのボタンにおけるタッチ操作のスライド経路が左向きであったとき、前記少なくとも２つのボタンの前記トリガー方式を前記左にスライドさせる連続タップと判定すること、
前記トリガーされたボタンが少なくとも前記第３のボタン及び前記第２のボタンを含み且つ前記少なくとも２つのボタンにおけるタッチ操作のスライド経路が右向きであったとき、前記少なくとも２つのボタンの前記トリガー方式を前記右にスライドさせる連続タップと判定すること
を含む。
【００４２】
本開示の別の実施形態では、前記連続タップモード及び前記現在ディスプレイモードに従って、前記スクリーンのディスプレイモードを切り換えることは、
前記連続タップモードが前記左にスライドさせる連続タップであり且つ前記現在ディスプレイモードが前記フルスクリーンモードであったとき、前記フルスクリーンモードを前記左方スケーリングモードに切り換えること、
前記連続タップモードが前記右にスライドさせる連続タップであり且つ前記現在ディスプレイモードが前記フルスクリーンモードであったとき、前記フルスクリーンモードを前記右方スケーリングモードに切り換えること、
前記連続タップモードが前記左にスライドさせる連続タップであり且つ前記現在ディスプレイモードが前記左方スケーリングモードであったとき、前記左方スケーリングモードを前記フルスクリーンモードに切り換えること、
前記連続タップモードが前記右にスライドさせる連続タップであり且つ前記現在ディスプレイモードが前記左方スケーリングモードであったとき、前記左方スケーリングモードを前記右方スケーリングモード又は前記フルスクリーンモードに切り換えること、
前記連続タップモードが前記左にスライドさせる連続タップであり且つ前記現在ディスプレイモードが前記右方スケーリングモードであったとき、前記右方スケーリングモードを前記左方スケーリングモード又は前記フルスクリーンモードに切り換えること、
前記連続タップモードが前記右にスライドさせる連続タップであり且つ前記現在ディスプレイモードが前記右方スケーリングモードであったとき、前記右方スケーリングモードを前記フルスクリーンモードに切り換えること
を含む。
【００４３】
本開示の別の実施形態は、上記任意の技術的解決策の任意の組み合わせからなっていてよいが、本明細書では省略する。
【００４４】
図２は、例示的な実施形態に係るディスプレイモードを切り換える方法を示すフローチャートである。図２を参照すると、ディスプレイモードを切り換える方法は、移動端末において用いられ、以下の工程を含む。
【００４５】
工程Ｓ２０１では、移動端末が、少なくとも２つのボタンを逐次トリガーするイベントを検出及び取得する。
【００４６】
この実施形態では、移動端末は、携帯電話、デスクトップコンピュータ、タッチスクリーンを有するタブレットパーソナルコンピュータ等であってよい。移動端末は、左から右に第１のボタン、第２のボタン、及び第３のボタンとなるようにディスプレイインターフェースの下部に配置されている３つのボタンを少なくとも有する。この実施形態では、第１のボタンは、メニューボタンであり、前記第１のボタンをクリックするとメニューオプションをポップアップさせることができる。第２のボタンは、ホームボタンであり、前記第２のボタンをクリックするとホームページに戻ることができる。第３のボタンは、バックボタンであり、前記第３のボタンをクリックすると前のページ又は操作に戻ることができる。
【００４７】
移動端末のボタンは、実体ボタンであっても仮想ボタンであってもよい。移動端末のボタンが実体ボタンであるとき、３つの実体ボタンは、移動端末をシャットダウンしても消えない。図３に示す通り、第１のボタンは、記号「≡」によって表され、第２のボタンは、記号「
2017510915.tif 000003
」によって表され、第３のボタンは、記号「＜」によって表されている。移動端末のボタンが仮想ボタンであるとき、３つの仮想ボタンは、重力によって電源の入った状態の移動端末のディスプレイインターフェースの下部に存在し、移動端末をシャットダウンすると消える。或いは、仮想ボタンは、スクリーンの下部に隠れていてもよく、操作を行おうとするときにユーザが所定の操作をトリガーすると呼び出すことができる。
【００４８】
３つのボタンは、上記説明において、第１のボタンがメニューボタンであり、第２のボタンがホームボタンであり、第３のボタンがバックボタンであると記載されているが、移動端末は、本明細書では省略するサーチボタン、ネットワーキング機能を有するボタン、プレイング機能を有するボタン等の上記３つのボタンを除く他の機能を有するボタンを更に含んでいてもよいことに留意すべきである。実際の応用では、移動端末は、４つのボタンを有していてもよく、前記４つのボタンは、左から右に第１のボタン、第２のボタン、第３のボタン、及び第４のボタンとなるように前記移動端末のディスプレイインターフェースの下部に配置され、前記第１のボタンはメニューボタンであり、前記第２のボタンは、ホームボタンであり、前記第３のボタンは、バックボタンであり、前記第４のボタンは、サーチボタンである。サーチボタンをクリックするとサーチダイアログボックスをポップアップさせることができ、前記サーチダイアログボックスを通して関連するコンテンツを見つけることができる。
【００４９】
ユーザが大画面を有する移動端末を操作すること及び異なる利き手を有するユーザの使用要件を満たすことが困難であるという問題を解決するために、この実施形態では、移動端末自体のボタンを利用して、様々な場面でディスプレイモードを切り換える。様々なディスプレイモードをユーザにより正確に提供するために、この実施形態では、移動端末の少なくとも２つのボタンにおけるタッチ操作に従ってディスプレイモードを判定する。この前に、移動端末は、少なくとも２つのボタンを逐次トリガーするイベントを検出及び取得する必要がある。
【００５０】
移動端末は、通常、以下の通り少なくとも２つのボタンを逐次トリガーするイベントを検出及び取得する。
【００５１】
先ず、移動端末は、予め登録されているモニターを取得する必要がある。
【００５２】
モニターは、移動端末におけるモニターリング機能を有するシステムである。この実施形態では、モニターは、主に、移動端末におけるトリガーイベントをモニターリングするようになっている。更に、モニターは、第一級関数ｏｎＫｅｙＥｖｅｎｔ、前記第一級関数ｏｎＫｅｙＥｖｅｎｔの下級関数である第二級関数ＫｅｙＥｖｅｎｔ、前記第二級関数ＫｅｙＥｖｅｎｔの下級関数である第三級関数ｇｅｔＫｅｙＣｏｄｅ等、様々なクラスの複数の関数を含む。移動端末は、ＩｎｐｕｔＭａｎａｇｅｒＳｅｒｖｉｃｅプロセスにおけるｓｅｔＩｎｐｕｔＦｉｌｔｅｒメソッドを用いてモニターを登録することができる。
【００５３】
次いで、移動端末は、ＩｎｐｕｔＭａｎａｇｅｒＳｅｒｖｉｃｅプロセスから直接、予め登録されているモニターを取得することができる。
【００５４】
次に、移動端末は、モニターに基づいて少なくとも２つのボタンを逐次トリガーするイベントを検出及び取得することができる。
【００５５】
この実施形態では、モニターは、移動端末におけるトリガーイベントをモニターリングする機能を有する。モニターの機能に基づいて、任意のボタンがトリガーされたことが検出されたとき、移動端末は、以下の工程（１）〜（３）を操作することによって少なくとも２つのボタンを逐次トリガーするイベントを検出及び取得することができる。
【００５６】
（１）移動端末は、ｏｎＫｅｙＥｖｅｎｔ関数を呼び出し、更に、ｏｎＫｅｙＥｖｅｎｔ関数の下級関数であるｋｅｙＥｖｅｎｔ関数を呼び出し、最後に、ｋｅｙＥｖｅｎｔ関数の下級関数であるｇｅｔＫｅｙＣｏｄｅ関数を呼び出す。その結果、ｇｅｔＫｅｙＣｏｄｅ関数に従って第１のボタンパラメータが取得される。
【００５７】
この実施形態では、異なるボタンパラメータが異なるボタンに対応し、前記ボタンパラメータは、ユーザが予め設定できることに留意すべきである。例えば、メニューボタンのボタンパラメータを８２と設定してよく、ホームボタンのボタンパラメータを３と設定してよく、バックボタンのボタンパラメータを４と設定してよい。一旦ボタンパラメータを設定すると、後続操作では変更されない。異なるボタンのボタンパラメータを設定した後、異なるボタンとボタンパラメータとの間で対応関係を形成する。後続操作を容易にするために、この実施形態では、ボタンとボタンパラメータとの間の対応関係をメモリ、フラッシュメモリ等の記憶セルに保存する。
【００５８】
更に、この実施形態では、第１のボタンパラメータ及び第２のボタンパラメータは、ボタンパラメータの値を示すようになっているのではなく、異なるボタンパラメータを区別するようになっているだけである。実際に、第１のボタンパラメータ及び第２のボタンパラメータは、それぞれ、上記ボタンパラメータ３、４、及び８２のうちの任意の１つであってよい。移動端末にタッチする場面では、第１のボタンパラメータは、移動端末の第１のトリガーイベントにおいて取得されるボタンパラメータを表し、第２のボタンパラメータは、移動端末の第２のトリガーイベントにおいて取得されるボタンパラメータを表す。
【００５９】
（２）第１のボタンパラメータに対応するボタンは、ボタンパラメータとボタンとの間の対応関係に従って取得される。移動端末は、ボタンが第２のボタンであったとき、タイマーを起動する。
【００６０】
第２のボタン（例えば、ホームボタン）が第１のタッチ操作でトリガーされたとき、前記第１のタッチ操作は、有効な操作である。このとき、移動端末は、計時のためにタイマーを起動する。
【００６１】
（３）タイマーの時間が所定の時間に達する前に第２のボタンパラメータが取得された場合、少なくとも２つのボタンを逐次トリガーするイベントが取得されたと判定する。
【００６２】
この実施形態では、所定の時間は、モニターによってモニターリングされる２つのタッチ操作間の最長反応時間を表すようになっている。タイマーの時間が所定の時間に達する前に他のボタン操作が検出されなかった場合、第２のボタンのオリジナルロジックがトリガーされ、対応する操作が実行され、取得された第１のボタンパラメータが破棄される。タイマーの時間が所定の時間に達する前に別のボタン操作が検出された場合、第１のボタンパラメータを取得する方法を用いてボタン操作のボタンパラメータが取得され、ボタンとボタンパラメータとの間の対応関係から前記ボタンパラメータに対応するボタンが第１のボタン又は第３のボタンとして取得された場合、少なくとも２つのボタンを逐次トリガーするイベントが取得されたと判定され；ボタンとボタンパラメータとの間の対応関係から前記ボタンパラメータに対応するボタンが第２のボタンとして取得された場合、第２のボタンのオリジナルロジックが実行される。
【００６３】
所定の時間を８０ミリ秒間に設定し、メニューボタンのボタンパラメータを８２に設定し、ホームボタンのボタンパラメータを３に設定し、バックボタンのボタンパラメータを４に設定したと仮定する。タイマーの時間が８０ミリ秒間に達する前に他のボタン操作が検出されなかった場合、ホームボタンのロジックがトリガーされ、取得された第１のボタンパラメータ、即ち、３が破棄される。タイマーの時間が８０ミリ秒間に達する前に別のボタン操作が検出され、ボタン操作のボタンパラメータが８２として取得された場合、ボタンとボタンパラメータとの間の対応関係から、前記ボタンパラメータに対応するボタンがメニューボタンとして取得され、少なくとも２つのボタンを逐次トリガーするイベントが取得されたと判定される。タイマーの時間が８０ミリ秒間に達する前に別のボタン操作が検出され、検出されたボタン操作のボタンパラメータが４として取得された場合、ボタンとボタンパラメータとの間の対応関係から、前記ボタンパラメータに対応するボタンがバックボタンとして取得され、少なくとも２つのボタンを逐次トリガーするイベントが取得されたと判定される。タイマーの時間が８０ミリ秒間に達する前に別のボタン操作が検出され、ボタン操作のボタンパラメータが３として取得された場合、ボタンとボタンパラメータとの間の対応関係から、前記ボタンパラメータに対応するボタンがホームボタンとして取得され、ホームボタンのオリジナルロジックが実行される。
【００６４】
工程Ｓ２０２では、移動端末は、現在ディスプレイモードを取得する。
【００６５】
この実施形態では、ディスプレイモードは、フルスクリーンモード、左方スケーリングモード、及び右方スケーリングモードを含む。ユーザが移動端末をトリガーしてモード切り換え操作を実施したとき、それは、スクリーンの現在ディスプレイモードがユーザの要求を満たすことができていないということを表し、現在ディスプレイモードをユーザの要求を満たすディスプレイモードに切り換える必要がある。したがって、ディスプレイモードを切り換える前に現在ディスプレイモードを取得しなければならない。
【００６６】
異なるディスプレイモードを特定するために、この実施形態では、異なるディスプレイモードは、異なるコードに対応している。例えば、フルスクリーンモードに対応するコードは、ＭＯＤＥ＿ＮＯＮＥであり、左方スケーリングモードに対応するコードは、ＭＯＤＥ＿ＬＥＦＴであり、右方スケーリングモードに対応するコードは、ＭＯＤＥ＿ＲＩＧＨＴである。更に、異なるディスプレイモードは、異なるモードパラメータに対応している。例えば、フルスクリーンモードに対応するモードパラメータは、第１のパラメータであり、左方スケーリングモードに対応するモードパラメータは、第２のパラメータであり、右方スケーリングモードに対応するモードパラメータは、第３のパラメータである。この実施形態では、第１のパラメータを０と設定し、第２のパラメータを１と設定し、第３のパラメータを２と設定する。更に、端末は、その操作中、現在ディスプレイモードに対応するモードパラメータをメモリに保存する。したがって、現在ディスプレイモードを取得するために、端末は、先ず現在ディスプレイモードを表すモードパラメータを取得し、次いで、ディスプレイモードとモードパラメータとの間の対応関係から前記モードパラメータに対応する現在ディスプレイモードを取得することができる。
【００６７】
この実施形態では、現在ディスプレイモードは、以下の取得方法のうちの任意の１つによって取得され得る。
【００６８】
第１の取得方法：モードパラメータが第１のパラメータであったとき、ディスプレイモードとモードパラメータとの間の対応関係から、第１のモードパラメータに対応する現在ディスプレイモードは、フルスクリーンモードとして取得される。
【００６９】
現在ディスプレイモードを表すコードがメモリから「ｓｔａｃｔｉｃ  ｆｉｎａｌ  ｉｎｔ  ＭＯＤＥ＿ＮＯＮＥ＝０」として取得された場合、これは、取得されたモードパラメータが第１のパラメータであることを示すので、現在ディスプレイモードはフルスクリーンモードであると判定される。
【００７０】
第２の取得方法：モードパラメータが第２のパラメータであったとき、ディスプレイモードとモードパラメータとの間の対応関係から、第２のモードパラメータに対応する現在ディスプレイモードは、左方スケーリングモードとして取得される。
【００７１】
ディスプレイモードを表すコードがメモリから「ｓｔａｃｔｉｃ  ｆｉｎａｌ  ｉｎｔ  ＭＯＤＥ＿ＬＥＦＴ＝１」として取得された場合、これは、取得されたモードパラメータが第２のパラメータであることを示すので、現在ディスプレイモードは左方スケーリングモードであると判定される。
【００７２】
第３の取得方法：モードパラメータが第３のパラメータであったとき、ディスプレイモードとモードパラメータとの間の対応関係から、第３のモードパラメータに対応する現在ディスプレイモードは、右方スケーリングモードとして取得される。
【００７３】
ディスプレイモードを表すコードがメモリから「ｓｔａｃｔｉｃ  ｆｉｎａｌ  ｉｎｔ  ＭＯＤＥ＿ＲＩＧＨＴ＝２」として取得された場合、これは、取得されたモードパラメータが第３のパラメータであることを示すので、現在ディスプレイモードは右方スケーリングモードであると判定される。
【００７４】
工程Ｓ２０３では、移動端末は、少なくとも２つのボタンを逐次トリガーするイベントに従って、前記少なくとも２つのボタンのトリガー方式を連続タップモードと判定する。
【００７５】
連続タップモードは、左にスライドさせる連続タップ及び右にスライドさせる連続タップを含む。移動端末は、以下の２つの方法において、少なくとも２つのボタンを逐次トリガーするイベントに従って少なくとも２つのボタンのトリガー方式を連続タップモードと判定し得るが、本開示は、これらに限定されるものではない。
【００７６】
第１の方法：トリガーされたボタンが少なくとも第１のボタン及び第２のボタンを含み且つ少なくとも２つのボタンにおけるタッチ操作のスライド経路が左向きであったとき、前記少なくとも２つのボタンのトリガー方式を左にスライドさせる連続タップと判定する。
【００７７】
図４に示す通り、トリガーイベント座標系を確立する。第１のボタン及び第２のボタンがトリガーされたことが検出された後、第１のボタンが存在する位置の第１の座標及び第２のボタンが存在する位置の第２の座標を取得し、前記第１の座標及び前記第２の座標に基づいて第１のベクトルを取得する。第１のベクトルの方向と正のＸ軸との間の夾角が鈍角又は直角であった場合、第１のボタン及び第２のボタンにおけるタッチ操作のスライド経路が左向きであると判定され、少なくとも２つのボタンのトリガー方式は、左にスライドさせる連続タップと判定される。
【００７８】
第２の方法：トリガーされたボタンが少なくとも第３のボタン及び第２のボタンを含み且つ少なくとも２つのボタンにおけるタッチ操作のスライド経路が右向きであったとき、前記少なくとも２つのボタンのトリガー方式を右にスライドさせる連続タップと判定する。
【００７９】
図５に示す通り、トリガーイベント座標系を確立する。第３のボタン及び第２のボタンがトリガーされたことが検出された後、第３のボタンが存在する位置の第３の座標及び第２のボタンが存在する位置の第２の座標を取得し、前記第３の座標及び前記第２の座標に基づいて第２のベクトルを取得する。第２のベクトルの方向と正のＸ軸との間の夾角が鋭角であった場合、第３のボタン及び第２のボタンにおけるタッチ操作のスライド経路が右向きであると判定され、少なくとも２つのボタンのトリガー方式は、右にスライドさせる連続タップと判定される。
【００８０】
３つのボタンを含む上記移動端末は、一例として示したものであることに留意すべきである。移動端末が４つのボタンを含んでいるとき、前記４つのボタンのトリガー方式は、４つのボタンを逐次トリガーするイベントに従って判定することができる。前記４つのボタンが、左から右に第１のボタン、第２のボタン、第３のボタン、及び第４のボタンとなるように移動端末のディスプレイインターフェースに配置されていると仮定する。第１のボタン及び第２のボタンがトリガーされたことが検出され且つ前記第１のボタン及び前記第２のボタンにおけるタッチ操作のスライド経路が左向きであったとき、前記第１のボタン及び前記第２のボタンのトリガー方式を左にスライドさせる連続タップと判定し；第３のボタン及び第４のボタンがトリガーされたことが検出され且つ前記第３のボタン及び前記第４のボタンにおけるタッチ操作のスライド経路が右向きであったとき、前記第３のボタン及び前記第４のボタンのトリガー方式を右にスライドさせる連続タップと判定する。
【００８１】
工程Ｓ２０４では、移動端末は、連続タップモード及び現在ディスプレイモードに従ってスクリーンのディスプレイモードを切り換える。
【００８２】
この実施形態では、少なくとも２つのボタンのトリガー方式及び現在ディスプレイモードはいずれも移動端末のディスプレイモードの切り換えに影響を与える。連続タップモード及び現在ディスプレイモードを総合的に検討する場合、スクリーンのディスプレイモードの切り換えとしては、以下の（１）〜（６）の実施が挙げられるが、これらに限定されない。
【００８３】
（１）連続タップモードが左にスライドさせる連続タップであり且つ現在ディスプレイモードがフルスクリーンモードであったとき、フルスクリーンモードを左方スケーリングモードに切り換える。
【００８４】
フルスクリーンモードにおいて連続タップモードが左にスライドさせる連続タップであると検出されたとき、それは、ユーザが左手で移動端末を操作しようとしていることを示す。ユーザの要求を満たすために、移動端末は、フルスクリーンモードを左方スケーリングモードに切り換える。フルスクリーンモードの左下隅スケーリングモードへの切り換えを例にとると、図６（ａ）に示すフルスクリーンモードの場面において、連続タップモードが左にスライドさせる連続タップであると検出されたとき、移動端末は、図６（ａ）のフルスクリーンモードを図６（ｂ）の左下隅スケーリングモードに切り換える。
【００８５】
（２）連続タップモードが右にスライドさせる連続タップであり且つ現在ディスプレイモードがフルスクリーンモードであったとき、フルスクリーンモードを右方スケーリングモードに切り換える。
【００８６】
フルスクリーンモードにおいて連続タップモードが右にスライドさせる連続タップであると検出されたとき、それは、ユーザが右手で移動端末を操作しようとしていることを示す。ユーザの要求を満たすために、移動端末は、フルスクリーンモードを右方スケーリングモードに切り換える。フルスクリーンモードの右下隅スケーリングモードへの切り換えを例にとると、図７（ａ）に示すフルスクリーンモードの場面において、連続タップモードが右にスライドさせる連続タップであると検出されたとき、移動端末は、図７（ａ）のフルスクリーンモードを図７（ｂ）の右下隅スケーリングモードに切り換える。
【００８７】
（３）連続タップモードが左にスライドさせる連続タップであり且つ現在ディスプレイモードが左方スケーリングモードであったとき、左方スケーリングモードをフルスクリーンモードに切り換える。
【００８８】
左方スケーリングモードにおいて連続タップモードが左にスライドさせる連続タップであると検出されたとき、移動端末は、左方スケーリングモードをフルスクリーンモードに切り換える。左下隅スケーリングモードを例にとると、図８（ａ）に示す左方スケーリングモードの場面において、連続タップモードが左にスライドさせる連続タップであると検出されたとき、移動端末は、図８（ａ）の左方スケーリングモードを図８（ｂ）のフルスクリーンモードに切り換える。
【００８９】
（４）連続タップモードが右にスライドさせる連続タップであり且つ現在ディスプレイモードが左方スケーリングモードであったとき、左方スケーリングモードを右方スケーリングモード又はフルスクリーンモードに切り換える。
【００９０】
左方スケーリングモードにおいて連続タップモードが右にスライドさせる連続タップであると検出されたとき、移動端末は、左方スケーリングモードを右方スケーリングモード又はフルスクリーンモードに切り換える。以下の方法のうちの任意の１つにおいて右方スケーリングモードに切り換えるかフルスクリーンモードに切り換えるかを決定することができる。トリガーイベントが現在スクリーンの所定の領域で検出され且つ前記トリガーイベントのスライド経路と移動端末の縦軸の正の方向との間の夾角が所定の角度値よりも大きいとき、左方スケーリングモードを右方スケーリングモードに切り換える。或いは、現在スクリーンにおけるトリガーイベントが検出され且つ前記トリガーイベントのスライド経路と移動端末の縦軸の正の方向との間の夾角が所定の角度値よりも大きいとき、左方スケーリングモードを右方スケーリングモードに切り換える。例えば、左方スケーリングモードが左下隅スケーリングモードである例では、図９（ａ）に示す左方スケーリングモードの場面において、連続タップモードが右にスライドさせる連続タップであると検出され且つトリガーイベントのスライド経路と移動端末の縦軸の正の方向との間の夾角が所定の角度よりも大きいとき、移動端末は、図９（ａ）の左方スケーリングモードを図９（ｂ）の右方スケーリングモードに切り換える。トリガーイベントが現在スクリーンにおける所定の領域で検出され且つ前記トリガーイベントのスライド経路と移動端末の縦軸の正の方向との間の夾角が所定の角度値よりも小さいとき、左方スケーリングモードをフルスクリーンモードに切り換える。或いは、現在スクリーンにおけるトリガーイベントが検出され且つ前記トリガーイベントのスライド経路と移動端末の縦軸の正の方向との間の夾角が所定の角度値よりも小さいとき、左方スケーリングモードをフルスクリーンモードに切り換える。例えば、左方スケーリングモードが左下隅スケーリングモードである例では、図１０（ａ）の左方スケーリングモードの場面において、連続タップモードが右にスライドさせる連続タップであると検出され且つ前記トリガーイベントのスライド経路と移動端末の縦軸の正の方向との間の夾角が所定の角度よりも小さいとき、移動端末は、図１０（ａ）の左方スケーリングモードを図１０（ｂ）のフルスクリーンモードに切り換える。
【００９１】
（５）連続タップモードが左にスライドさせる連続タップであり且つ現在ディスプレイモードが右方スケーリングモードであったとき、右方スケーリングモードを左方スケーリングモード又はフルスクリーンモードに切り換える。
【００９２】
右方スケーリングモードにおいて、連続タップモードが左にスライドさせる連続タップであると検出されたとき、移動端末は、右方スケーリングモードを左方スケーリングモード又はフルスクリーンモードに切り換える。（４）における方法を参照して、どのモードに切り換えるかを決定することができる。例えば、右方スケーリングモードが右下隅スケーリングモードである例では、図１１（ａ）の右方スケーリングモードの場面において、連続タップモードが左にスライドさせる連続タップであると検出され且つトリガーイベントのスライド経路と移動端末の縦軸の正の方向との間の夾角が、所定の角度値よりも大きいとき、移動端末は、図１１（ａ）の右方スケーリングモードを図１１（ｂ）の左方スケーリングモードに切り換える。図１２（ａ）の右方スケーリングモードの場面において、連続タップモードが左にスライドさせる連続タップであると検出され且つトリガーイベントのスライド経路と移動端末の縦軸の正の方向との間の夾角が所定の角度値よりも小さいとき、移動端末は、図１２（ａ）の右方スケーリングモードを図１２（ｂ）のフルスクリーンモードに切り換える。
【００９３】
（６）連続タップモードが右にスライドさせる連続タップであり且つ現在ディスプレイモードが右方スケーリングモードであったとき、右方スケーリングモードをフルスクリーンモードに切り換える。
【００９４】
右方スケーリングモードにおいて連続タップモードが右にスライドさせる連続タップであると検出されたとき、移動端末は、右方スケーリングモードをフルスクリーンモードに切り換える。右方スケーリングモードが右下隅スケーリングモードである例では、図１３（ａ）の右方スケーリングモードの場面において、連続タップモードが右にスライドさせる連続タップであると検出されたとき、移動端末は、図１３（ａ）の右方スケーリングモードを図１３（ｂ）の左方スケーリングモードに切り換える。
【００９５】
本開示の実施形態によって提供される方法を用いると、少なくとも２つのボタンを逐次トリガーするイベントが検出された後、２つのボタンを逐次トリガーするイベントのトリガー方式及び現在ディスプレイモードに従ってスクリーンのディスプレイモードが切り換えられる。ディスプレイモードは、端末自体のボタンの様々なトリガー方式及び現在ディスプレイモードに従って切り換えられるので、操作の複雑性が低減され、異なるディスプレイモード間の切り換えの問題が解決され、また、様々なユーザの利き手に適している。
【００９６】
図１４は、例示的な実施形態に係るディスプレイモードを切り換える装置を示すブロック図である。前記装置は、左から右に第１のボタン、第２のボタン、及び第３のボタンとなるように移動端末のディスプレイインターフェースに配置されている３つのボタンを少なくとも有する移動端末において用いられる。図１４を参照すると、前記装置は、検出及び取得モジュール１４０１と、取得モジュール１４０２と、切り換えモジュール１４０３とを含む。
【００９７】
検出及び取得モジュール１４０１は、少なくとも２つのボタンを逐次トリガーするイベントを検出及び取得するようになっている。
【００９８】
取得モジュール１４０２は、現在ディスプレイモードを取得するようになっている。
【００９９】
切り換えモジュール１４０３は、少なくとも２つのボタンを逐次トリガーするイベントのトリガー方式及び現在ディスプレイモードに従ってスクリーンのディスプレイモードを切り換えるようになっている。
【０１００】
ディスプレイモードは、フルスクリーンモード、左方スケーリングモード、及び右方スケーリングモードを含む。
【０１０１】
本開示の別の実施形態では、検出及び取得モジュール１４０１は、取得ユニットと検出及び取得ユニットとを含む。
【０１０２】
取得ユニットは、予め登録されているモニターを取得するようになっている。
【０１０３】
検出及び取得ユニットは、モニターに基づいて少なくとも２つのボタンを逐次トリガーするイベントを検出及び取得するようになっている。
【０１０４】
本開示の別の実施形態では、検出及び取得ユニットは、第１の取得サブユニットと、第２の取得サブユニットと、起動サブユニットと、判定サブユニットとを含む。
【０１０５】
第１の取得サブユニットは、任意のボタンがトリガーされたことが検出されたとき、モニターに従って第１のボタンパラメータを取得するようになっている。
【０１０６】
第２の取得サブユニットは、ボタンパラメータとボタンとの間の対応関係に従って第１のボタンパラメータに対応するボタンを取得するようになっている。
【０１０７】
起動サブユニットは、ボタンが第２のボタンであったとき、タイマーを起動するようになっている。
【０１０８】
判定サブユニットは、タイマーの時間が所定の時間に達する前に第２のボタンパラメータが取得された場合、少なくとも２つのボタンを逐次トリガーするイベントが取得されたと判定するようになっている。
【０１０９】
本開示の別の実施形態では、前記第１の取得サブユニットは、任意のボタンがトリガーされたことが検出されたとき、タイマーにおいてｏｎＫｅｙＥｖｅｎｔ関数を呼び出し、ｋｅｙＥｖｅｎｔを呼び出し、更に、ｇｅｔＫｅｙＣｏｄｅ関数を呼び出し、前記ｇｅｔＫｅｙＣｏｄｅ関数に従って第１のボタンパラメータを取得するようになっている。
【０１１０】
本開示の別の実施形態では、取得モジュール１４０２は、現在モードパラメータを取得し、ディスプレイモードとモードパラメータとの間の対応関係に従って前記現在モードパラメータに対応する現在ディスプレイモードを取得するようになっている。
【０１１１】
本開示の別の実施形態では、取得モジュール１４０２は、モードパラメータが第１のパラメータであったとき、ディスプレイモードとモードパラメータとの間の対応関係に従って、前記第１のパラメータに対応する現在ディスプレイモードをフルスクリーンモードとして取得するようになっている。
【０１１２】
取得モジュール１４０２は、モードパラメータが第２のパラメータであったとき、ディスプレイモードとモードパラメータとの間の対応関係に従って、前記第２のパラメータに対応する現在ディスプレイモードを左方スケーリングモードとして取得するようになっている。
【０１１３】
取得モジュール１４０２は、モードパラメータが第３のパラメータであったとき、ディスプレイモードとモードパラメータとの間の対応関係に従って、前記第３のパラメータに対応する現在ディスプレイモードを右方スケーリングモードとして取得するようになっている。
【０１１４】
本開示の別の実施形態では、切り換えモジュール１４０３は、判定ユニットと切り換えユニットとを含む。
【０１１５】
判定ユニットは、少なくとも２つのボタンを逐次トリガーするイベントに従って、少なくとも２つのボタンのトリガー方式を連続タップモードと判定するようになっている。
【０１１６】
切り換えユニットは、連続タップモード及び現在ディスプレイモードに従って、スクリーンのディスプレイモードを切り換えるようになっている。
【０１１７】
本開示の別の実施形態では、連続タップモードは、左にスライドさせる連続タップ及び右にスライドさせる連続タップを含む。
【０１１８】
判定ユニットは、トリガーされたボタンが少なくとも第１のボタン及び第２のボタンを含み且つ少なくとも２つのボタンにおけるタッチ操作のスライド経路が左向きであったとき、前記少なくとも２つのボタンのトリガー方式を左にスライドさせる連続タップと判定するようになっている。
【０１１９】
判定ユニットは、トリガーされたボタンが少なくとも第３のボタン及び第２のボタンを含み且つ少なくとも２つのボタンにおけるタッチ操作のスライド経路が右向きであったとき、前記少なくとも２つのボタンのトリガー方式を右にスライドさせる連続タップと判定するようになっている。
【０１２０】
本開示の別の実施形態では、切り換えユニットは、連続タップモードが左にスライドさせる連続タップであり且つ現在ディスプレイモードがフルスクリーンモードであったとき、フルスクリーンモードを左方スケーリングモードに切り換えるようになっている。
【０１２１】
切り換えユニットは、連続タップモードが右にスライドさせる連続タップであり且つ現在ディスプレイモードがフルスクリーンモードであったとき、フルスクリーンモードを右方スケーリングモードに切り換えるようになっている。
【０１２２】
切り換えユニットは、連続タップモードが右にスライドさせる連続タップであり且つ現在ディスプレイモードがフルスクリーンモードであったとき、フルスクリーンモードを右方スケーリングモードに切り換えるようになっている。
【０１２３】
切り換えユニットは、連続タップモードが右にスライドさせる連続タップであり且つ現在ディスプレイモードが左方スケーリングモードであったとき、左方スケーリングモードを右方スケーリングモード又はフルスクリーンモードに切り換えるようになっている。
【０１２４】
切り換えユニットは、連続タップモードが左にスライドさせる連続タップであり且つ現在ディスプレイモードが右方スケーリングモードであったとき、右方スケーリングモードを左方スケーリングモード又はフルスクリーンモードに切り換えるようになっている。
【０１２５】
切り換えユニットは、連続タップモードが右にスライドさせる連続タップであり且つ現在ディスプレイモードが右方スケーリングモードであったとき、右方スケーリングモードをフルスクリーンモードに切り換えるようになっている。
【０１２６】
本開示の実施形態によって提供される装置を用いると、少なくとも２つのボタンを逐次トリガーするイベントが検出された後、２つのボタンを逐次トリガーするイベントのトリガー方式及び現在ディスプレイモードに従ってスクリーンのディスプレイモードが切り換えられる。ディスプレイモードは、端末自体のボタンの様々なトリガー方式及び現在ディスプレイモードに従って切り換えられるので、操作の複雑性が低減され、異なるディスプレイモード間の切り換えの問題が解決され、また、様々なユーザの利き手に適している。
【０１２７】
上記実施形態における装置に関して、その中の個々のモジュールの操作を実施するための具体的な方法は、ディスプレイモードを切り換える方法に関する実施形態に詳細に記載されているので、ここには記載しない。
【０１２８】
図１５は、例示的な実施形態に係るディスプレイモードを切り換える装置１５００の概略図である。例えば、装置１５００は、携帯電話、コンピュータ、デジタル放送端末、通信装置、ゲームコンソール、タブレット、医療機器、運動器具、携帯情報端末等であってよい。
【０１２９】
図１５を参照すると、装置１５００は、以下のコンポーネントのうちの１以上を含んでいてよい：処理コンポーネント１５０２、メモリ１５０４、電力コンポーネント１５０６、マルチメディアコンポーネント１５０８、オーディオコンポーネント１５１０、インプット／アウトプット（Ｉ／Ｏ）インターフェース１５１２、センサコンポーネント１５１４、及び通信コンポーネント１５１６。
【０１３０】
処理コンポーネント１５０２は、典型的に、ディスプレイ、電話による通話、データ通信、カメラ操作、及び記録操作に関連する操作等、装置１５００の操作全体を制御する。処理コンポーネント１５０２は、上記方法における工程の全て又は一部を実施するための命令を実行する１以上のプロセッサ１５２０を含んでいてよい。更に、処理コンポーネント１５０２は、処理コンポーネント１５０２と他のコンポーネントとの間の相互作用を促進する１以上のモジュールを含んでいてよい。例えば、処理コンポーネント１５０２は、マルチメディアコンポーネント１５０８と処理コンポーネント１５０２との間の相互作用を促進するマルチメディアモジュールを含んでいてよい。
【０１３１】
メモリ１５０４は、装置１５００の操作をサポートするために様々な種類のデータを保存するようになっている。かかるデータの例としては、装置１５００で操作される任意のアプリケーション又はメソッドのための命令、連絡先データ、電話帳データ、メッセージ、写真、ビデオ等が挙げられる。メモリ１５０４は、例えば、スタティックランダムアクセスメモリ（ＳＲＡＭ）、電気的消去書込み可能な読出し専用メモリ（ＥＥＰＲＯＭ）、消去書込み可能な読出し専用メモリ（ＥＰＲＯＭ）、書込み可能な読出し専用メモリ（ＰＲＯＭ）、読出し専用メモリ（ＲＯＭ）、磁気メモリ、フラッシュメモリ、磁気又は光ディスク等の任意の種類の揮発性メモリ若しくは不揮発性メモリデバイス、又はこれらの組み合わせを用いて実行され得る。
【０１３２】
電力コンポーネント１５０６は、装置１５００の様々なコンポーネントに電力を提供する。電力コンポーネント１５０６は、電力管理システム、１以上の電源、及び装置１５００における発電、電力管理、及び配電に関連する任意の他のコンポーネントを含んでいてよい。
【０１３３】
マルチメディアコンポーネント１５０８は、装置１５００とユーザとの間に出力インターフェースを提供するスクリーンを含む。幾つかの実施形態では、スクリーンは、液晶ディスプレイ（ＬＣＤ）及びタッチパネル（ＴＰ）を含んでいてよい。スクリーンがタッチパネルを含んでいる場合、スクリーンは、タッチスクリーンとして実行されて、ユーザからの入力シグナルを受信することができる。タッチパネルは、タッチパネル上におけるタッチ、スワイプ、及びジェスチャーを感知するために１以上のタッチセンサを含む。タッチセンサは、タッチ又はスワイプ動作の境界を感知するだけでなく、タッチ又はスワイプ動作に関連する時間及び圧力も感知することができる。幾つかの実施形態では、マルチメディアコンポーネント１５０８は、フロントカメラ及び／又はリアカメラを含む。フロントカメラ及びリアカメラは、装置１５００が撮影モード又はビデオモード等の操作モードにある間、外部マルチメディアデータを受信することができる。フロントカメラ及びリアカメラは、それぞれ、固定光学レンズシステムであってもよく、フォーカス及び光学ズーム機能を有していてもよい。
【０１３４】
オーディオコンポーネント１５１０は、オーディオシグナルを出力及び／又は入力するようになっている。例えば、オーディオコンポーネント１５１０は、装置１５００が、例えば、通話モード、記録モード、及び音声認識モード等の操作モードにあるとき、外部オーディオシグナルを受信するようになっているマイクロホン（ＭＩＣ）を含む。受信されたオーディオシグナルは、更にメモリ１５０４に保存してもよく、通信コンポーネント１５１６を介して送信してもよい。幾つかの実施形態では、オーディオコンポーネント１５１０は、オーディオシグナルを出力するためのスピーカーを更に含む。
【０１３５】
Ｉ／Ｏインターフェース１５１２は、処理コンポーネント１５０２とキーボード、クリックホイール、ボタン等の周辺インターフェースモジュールとの間にインターフェースを提供する。ボタンとしては、例えば、ホームボタン、ボリュームボタン、スタートボタン、及びロックボタン等を挙げることができるが、これらに限定されない。
【０１３６】
センサコンポーネント１５１４は、装置１５００の様々な態様のステータスアセスメントを提供するための１以上のセンサを含む。例えば、センサコンポーネント１５１４は、装置１５００の開閉状態、装置１５００のコンポーネント（例えば、ディスプレイ及びキーパッド）の相対配置、装置１５００又は装置１５００のコンポーネントの位置変化、装置１５００と接触しているユーザの有無、装置１５００の配向又は加速／減速、及び装置１５００の温度変化を検出し得る。センサコンポーネント１５１４は、任意の物理的接触なしに近傍の物体の存在を検出するようになっている近接センサを含んでいてよい。また、センサコンポーネント１５１４は、イメージングアプリケーションで用いるための光センサ、例えば、ＣＭＯＳ又はＣＣＤ画像センサを含んでいてよい。幾つかの実施形態では、センサコンポーネント１５１４は、加速度センサ、ジャイロスコープセンサ、磁気センサ、圧力センサ、又は温度センサを含んでいてよい。
【０１３７】
通信コンポーネント１５１６は、装置１５００と他の装置との間の有線又は無線の通信を促進するようになっている。装置１５００は、ＷｉＦｉ、２Ｇ、若しくは３Ｇ等の通信規格、又はこれらの組み合わせに基づいて無線ネットワークにアクセスすることができる。１つの例示的な実施形態では、通信コンポーネント１５１６は、放送チャネルを介して外部放送管理システムから放送信号又は放送に関連する情報を受信する。１つの例示的な実施形態では、通信コンポーネント１５１６は、更に、近距離通信を促進するために近距離無線通信（ＮＦＣ）モジュールを含む。例えば、ＮＦＣモジュールは、無線ＩＣタグ（ＲＦＩＤ）技術、赤外線データ協会（ＩｒＤＡ）技術、超広帯域（ＵＷＢ）技術、ブルートゥース（ＢＴ）技術、及び他の技術に基づいて実行してよい。
【０１３８】
例示的な実施形態では、装置１５００は、上記方法を実施するために、１以上の特定用途向け集積回路（ＡＳＩＣ）、デジタル信号プロセッサ（ＤＳＰ）、デジタル信号処理装置（ＤＳＰＤ）、プログラマブル論理装置（ＰＬＤ）、フィールドプログラマブルゲートアレイ（ＦＰＧＡ）、コントローラ、マイクロコントローラ、マイクロプロセッサ、又は他の電子部品を用いて実行してよい。
【０１３９】
例示的な実施形態では、上記方法を実施するために、装置１５００におけるプロセッサ１５２０によって実行可能な（例えば、メモリ１５０４に保存されている）命令を含む非一時的コンピュータ可読記憶媒体も提供される。例えば、非一時的コンピュータ可読記憶媒体は、ＲＯＭ、ＲＡＭ、ＣＤ−ＲＯＭ、磁気テープ、フロッピー（登録商標）ディスク、光学データ記録装置等であってよい。
【０１４０】
非一時的コンピュータ可読記憶媒体が提供される。記憶媒体に保存されている命令は、移動端末のプロセッサによって実行されたとき、前記移動端末にディスプレイモードを切り換える方法を実施させる。前記方法は、左から右に第１のボタン、第２のボタン、及び第３のボタンとなるように移動端末のディスプレイインターフェースに配置されている３つのボタンを少なくとも有する移動端末において用いられ、
少なくとも２つのボタンを逐次トリガーするイベントを検出及び取得すること、
現在ディスプレイモードを取得すること、
前記少なくとも２つのボタンを逐次トリガーするイベントのトリガー方式及び前記現在ディスプレイモードに従ってスクリーンのディスプレイモードを切り換えること
を含み、
前記ディスプレイモードは、フルスクリーンモード、左方スケーリングモード、及び右方スケーリングモードを含む。
【０１４１】
本開示の別の実施形態では、前記少なくとも２つのボタンを逐次トリガーするイベントを検出及び取得することは、
予め登録されているモニターを取得すること、
前記モニターに基づいて、前記少なくとも２つのボタンを逐次トリガーするイベントを検出及び取得すること
を含む。
【０１４２】
本開示の別の実施形態では、前記モニターに基づいて前記少なくとも２つのボタンを逐次トリガーするイベントを検出及び取得することは、
任意のボタンがトリガーされたことが検出されたとき、前記モニターに従って第１のボタンパラメータを取得すること、
ボタンパラメータとボタンとの間の対応関係に従って前記第１のボタンパラメータに対応するボタンを取得すること、
前記ボタンが第２のボタンであったとき、タイマーを起動すること、
前記タイマーの時間が所定の時間に達する前に第２のボタンパラメータが取得された場合、前記少なくとも２つのボタンを逐次トリガーするイベントが取得されたと判定すること
を含む。
【０１４３】
本開示の別の実施形態では、前記モニターに従って第１のボタンパラメータを取得することは、
任意のボタンがトリガーされたことが検出されたとき、タイマーにおいてｏｎＫｅｙＥｖｅｎｔ関数を呼び出し、ｋｅｙＥｖｅｎｔ関数を呼び出し、更に、ｇｅｔＫｅｙＣｏｄｅ関数を呼び出すこと、
前記ｇｅｔＫｅｙＣｏｄｅ関数に従って前記第１のボタンパラメータを取得すること
を含む。
【０１４４】
本開示の別の実施形態では、前記現在ディスプレイモードを取得することは、
現在モードパラメータを取得すること、
ディスプレイモードとモードパラメータとの間の対応関係に従って前記現在モードパラメータに対応する現在ディスプレイモードを取得すること
を含む。
【０１４５】
本開示の別の実施形態では、前記ディスプレイモードとモードパラメータとの間の対応関係に従って前記現在モードパラメータに対応する現在ディスプレイモードを取得することは、
前記モードパラメータが第１のパラメータであったとき、前記ディスプレイモードとモードパラメータとの間の対応関係に従って、前記第１のパラメータに対応する現在ディスプレイモードを前記フルスクリーンモードとして取得すること、
前記モードパラメータが第２のパラメータであったとき、前記ディスプレイモードとモードパラメータとの間の対応関係に従って、前記第２のパラメータに対応する現在ディスプレイモードを前記左方スケーリングモードとして取得すること、
前記モードパラメータが第３のパラメータであったとき、前記ディスプレイモードとモードパラメータとの間の対応関係に従って、前記第３のパラメータに対応する現在ディスプレイモードを前記右方スケーリングモードとして取得すること
を含む。
【０１４６】
本開示の別の実施形態では、前記少なくとも２つのボタンを逐次トリガーするイベントのトリガー方式及び前記現在ディスプレイモードに従ってスクリーンのディスプレイモードを切り換えることは、
前記少なくとも２つのボタンを逐次トリガーするイベントに従って前記少なくとも２つのボタンの前記トリガー方式を連続タップモードと判定すること、
前記連続タップモード及び前記現在ディスプレイモードに従って、前記スクリーンのディスプレイモードを切り換えること
を含む。
【０１４７】
本開示の別の実施形態では、前記連続タップモードは、左にスライドさせる連続タップ及び右にスライドさせる連続タップを含み、
前記少なくとも２つのボタンを逐次トリガーするイベントに従って前記少なくとも２つのボタンの前記トリガー方式を連続タップモードと判定することは、
トリガーされたボタンが少なくとも前記第１のボタン及び前記第２のボタンを含み且つ前記少なくとも２つのボタンにおけるタッチ操作のスライド経路が左向きであったとき、前記少なくとも２つのボタンの前記トリガー方式を前記左にスライドさせる連続タップと判定すること、
前記トリガーされたボタンが少なくとも前記第３のボタン及び前記第２のボタンを含み且つ前記少なくとも２つのボタンにおけるタッチ操作のスライド経路が右向きであるとき、前記少なくとも２つのボタンの前記トリガー方式を前記右にスライドさせる連続タップと判定すること
を含む。
【０１４８】
本開示の別の実施形態では、前記連続タップモード及び前記現在ディスプレイモードに従って、前記スクリーンのディスプレイモードを切り換えることは、
前記連続タップモードが前記左にスライドさせる連続タップであり且つ前記現在ディスプレイモードが前記フルスクリーンモードであったとき、前記フルスクリーンモードを前記左方スケーリングモードに切り換えること、
前記連続タップモードが前記右にスライドさせる連続タップであり且つ前記現在ディスプレイモードが前記フルスクリーンモードであったとき、前記フルスクリーンモードを前記右方スケーリングモードに切り換えること、
前記連続タップモードが前記左にスライドさせる連続タップであり且つ前記現在ディスプレイモードが前記左方スケーリングモードであったとき、前記左方スケーリングモードを前記フルスクリーンモードに切り換えること、
前記連続タップモードが前記右にスライドさせる連続タップであり且つ前記現在ディスプレイモードが前記左方スケーリングモードであったとき、前記左方スケーリングモードを前記右方スケーリングモード又は前記フルスクリーンモードに切り換えること、
前記連続タップモードが前記左にスライドさせる連続タップであり且つ前記現在ディスプレイモードが前記右方スケーリングモードであったとき、前記右方スケーリングモードを前記左方スケーリングモード又は前記フルスクリーンモードに切り換えること、
前記連続タップモードが前記右にスライドさせる連続タップであり且つ前記現在ディスプレイモードが前記右方スケーリングモードであったとき、前記右方スケーリングモードを前記フルスクリーンモードに切り換えること
を含む。
【０１４９】
本開示の実施形態によって提供される非一時的コンピュータ可読記憶媒体を用いると、少なくとも２つのボタンを逐次トリガーするイベントが検出された後、前記少なくとも２つのボタンを逐次トリガーするイベントのトリガー方式及び現在ディスプレイモードに従って、スクリーンのディスプレイモードが切り換えられる。ディスプレイモードは、端末自体のボタンの様々なトリガー方式及び現在ディスプレイモードに従って切り換えられるので、操作の複雑性が低減され、異なるディスプレイモード間の切り換えの問題が解決され、また、様々なユーザの利き手に適している。
【０１５０】
本発明の他の実施形態は、本明細書に開示する本発明の詳細及び実施を考慮して当業者に明らかである。本願は、当技術分野における公知の実施又は慣行の範囲内であるとき、本開示からの下記逸脱を含む、本開示の一般的な原理に従う本発明の任意の変形、用途、又は応用を網羅することを意図する。明細書及び実施例は、単なる例示であるとみなされ、本発明の真の範囲及び趣旨は、以下の特許請求の範囲によって示されることを意図する。
【０１５１】
本発明は、上に記載した及び添付図面に図示した正確な構造に限定されるものではなく、本発明の範囲から逸脱することなしに様々な改変及び変更を行い得ることが理解される。本発明の範囲は、添付の特許請求の範囲によってのみ限定されることを意図する。
【図１】
2017510915.tif 000004
【図２】
2017510915.tif 000005
【図３】
2017510915.tif 000006
【図４】
2017510915.tif 000007
【図５】
2017510915.tif 000008
【図６】
2017510915.tif 000009
【図７】
2017510915.tif 000010
【図８】
2017510915.tif 000011
【図９】
2017510915.tif 000012
【図１０】
2017510915.tif 000013
【図１１】
2017510915.tif 000014
【図１２】
2017510915.tif 000015
【図１３】
2017510915.tif 000016
【図１４】
2017510915.tif 000017
【図１５】
2017510915.tif 000018
【手続補正書】
【提出日】平成27年12月16日(2015.12.16)
【手続補正１】
【補正対象書類名】特許請求の範囲
【補正対象項目名】全文
【補正方法】変更
【補正の内容】
【特許請求の範囲】
【請求項１】
ディスプレイモードを切り換える方法であって、左から右に第１のボタン、第２のボタン、及び第３のボタンとなるように移動端末のディスプレイインターフェースに配置されている３つのボタンを少なくとも有する移動端末において用いられ、
少なくとも２つのボタンを逐次トリガーするイベントを検出及び取得すること、
現在ディスプレイモードを取得すること、
前記少なくとも２つのボタンを逐次トリガーするイベントのトリガー方式及び前記現在ディスプレイモードに従ってスクリーンのディスプレイモードを切り換えること
を含み、
前記ディスプレイモードが、フルスクリーンモード、左方スケーリングモード、及び右方スケーリングモードを含むことを特徴とする方法。
【請求項２】
前記少なくとも２つのボタンを逐次トリガーするイベントを検出及び取得することが、
予め登録されているモニターを取得すること、
前記モニターに基づいて、前記少なくとも２つのボタンを逐次トリガーするイベントを検出及び取得すること
を含む請求項１に記載の方法。
【請求項３】
前記モニターに基づいて、前記少なくとも２つのボタンを逐次トリガーするイベントを検出及び取得することが、
任意のボタンがトリガーされたことが検出されたとき、前記モニターに従って第１のボタンパラメータを取得すること、
ボタンパラメータとボタンとの間の対応関係に従って前記第１のボタンパラメータに対応するボタンを取得すること、
前記ボタンが第２のボタンであったとき、タイマーを起動すること、
前記タイマーの時間が所定の時間に達する前に第２のボタンパラメータが取得された場合、前記少なくとも２つのボタンを逐次トリガーするイベントが取得されたと判定すること
を含む請求項２に記載の方法。
【請求項４】
前記モニターに従って第１のボタンパラメータを取得することが、
任意のボタンがトリガーされたことが検出されたとき、タイマーにおいてｏｎＫｅｙＥｖｅｎｔ関数を呼び出し、ｋｅｙＥｖｅｎｔ関数を呼び出し、更に、ｇｅｔＫｅｙＣｏｄｅ関数を呼び出すこと、
前記ｇｅｔＫｅｙＣｏｄｅ関数に従って前記第１のボタンパラメータを取得すること
を含む請求項３に記載の方法。
【請求項５】
前記現在ディスプレイモードを取得することが、
現在モードパラメータを取得すること、
ディスプレイモードとモードパラメータとの間の対応関係に従って前記現在モードパラメータに対応する現在ディスプレイモードを取得すること
を含む請求項１から４のいずれかに記載の方法。
【請求項６】
前記ディスプレイモードとモードパラメータとの間の対応関係に従って前記現在モードパラメータに対応する現在ディスプレイモードを取得することが、
前記モードパラメータが第１のパラメータであったとき、前記ディスプレイモードとモードパラメータとの間の対応関係に従って、前記第１のパラメータに対応する現在ディスプレイモードを前記フルスクリーンモードとして取得すること、
前記モードパラメータが第２のパラメータであったとき、前記ディスプレイモードとモードパラメータとの間の対応関係に従って、前記第２のパラメータに対応する現在ディスプレイモードを前記左方スケーリングモードとして取得すること、
前記モードパラメータが第３のパラメータであったとき、前記ディスプレイモードとモードパラメータとの間の対応関係に従って、前記第３のパラメータに対応する現在ディスプレイモードを前記右方スケーリングモードとして取得すること
を含む請求項５に記載の方法。
【請求項７】
前記少なくとも２つのボタンを逐次トリガーするイベントのトリガー方式及び前記現在ディスプレイモードに従ってスクリーンのディスプレイモードを切り換えることが、
前記少なくとも２つのボタンを逐次トリガーするイベントに従って前記少なくとも２つのボタンの前記トリガー方式を連続タップモードと判定すること、
前記連続タップモード及び前記現在ディスプレイモードに従って、前記スクリーンのディスプレイモードを切り換えること
を含む請求項１から６のいずれかに記載の方法。
【請求項８】
前記連続タップモードが、左にスライドさせる連続タップ及び右にスライドさせる連続タップを含み、
前記少なくとも２つのボタンを逐次トリガーするイベントに従って前記少なくとも２つのボタンの前記トリガー方式を連続タップモードと判定することが、
トリガーされたボタンが少なくとも前記第１のボタン及び前記第２のボタンを含み且つ前記少なくとも２つのボタンにおけるタッチ操作のスライド経路が左向きであったとき、前記少なくとも２つのボタンの前記トリガー方式を前記左にスライドさせる連続タップと判定すること、
前記トリガーされたボタンが少なくとも前記第３のボタン及び前記第２のボタンを含み且つ前記少なくとも２つのボタンにおけるタッチ操作のスライド経路が右向きであるとき、前記少なくとも２つのボタンの前記トリガー方式を前記右にスライドさせる連続タップと判定すること
を含む請求項７に記載の方法。
【請求項９】
前記連続タップモード及び前記現在ディスプレイモードに従って、前記スクリーンのディスプレイモードを切り換えることが、
前記連続タップモードが前記左にスライドさせる連続タップであり且つ前記現在ディスプレイモードが前記フルスクリーンモードであったとき、前記フルスクリーンモードを前記左方スケーリングモードに切り換えること、
前記連続タップモードが前記右にスライドさせる連続タップであり且つ前記現在ディスプレイモードが前記フルスクリーンモードであったとき、前記フルスクリーンモードを前記右方スケーリングモードに切り換えること、
前記連続タップモードが前記左にスライドさせる連続タップであり且つ前記現在ディスプレイモードが前記左方スケーリングモードであったとき、前記左方スケーリングモードを前記フルスクリーンモードに切り換えること、
前記連続タップモードが前記右にスライドさせる連続タップであり且つ前記現在ディスプレイモードが前記左方スケーリングモードであったとき、前記左方スケーリングモードを前記右方スケーリングモード又は前記フルスクリーンモードに切り換えること、
前記連続タップモードが前記左にスライドさせる連続タップであり且つ前記現在ディスプレイモードが前記右方スケーリングモードであったとき、前記右方スケーリングモードを前記左方スケーリングモード又は前記フルスクリーンモードに切り換えること、
前記連続タップモードが前記右にスライドさせる連続タップであり且つ前記現在ディスプレイモードが前記右方スケーリングモードであったとき、前記右方スケーリングモードを前記フルスクリーンモードに切り換えること
を含む請求項８に記載の方法。
【請求項１０】
ディスプレイモードを切り換える装置であって、左から右に第１のボタン、第２のボタン、及び第３のボタンとなるように移動端末のディスプレイインターフェースに配置されている３つのボタンを少なくとも有する移動端末において用いられ、
少なくとも２つのボタンを逐次トリガーするイベントを検出及び取得するようになっている検出及び取得モジュール、
現在ディスプレイモードを取得するようになっている取得モジュール、
前記少なくとも２つのボタンを逐次トリガーするイベントのトリガー方式及び前記現在ディスプレイモードに従ってスクリーンのディスプレイモードを切り換えるようになっている切り換えモジュール
を含み、
前記ディスプレイモードが、フルスクリーンモード、左方スケーリングモード、及び右方スケーリングモードを含むことを特徴とする装置。
【請求項１１】
前記検出及び取得モジュールが、
予め登録されているモニターを取得するようになっている取得ユニット、
前記モニターに基づいて、前記少なくとも２つのボタンを逐次トリガーするイベントを検出及び取得するようになっている検出及び取得ユニット
を含む請求項１０に記載の装置。
【請求項１２】
前記検出及び取得ユニットが、
任意のボタンがトリガーされたことが検出されたとき、前記モニターに従って第１のボタンパラメータを取得するようになっている第１の取得サブユニット、
ボタンパラメータとボタンとの間の対応関係に従って前記第１のボタンパラメータに対応するボタンを取得するようになっている第２の取得サブユニット、
前記ボタンが第２のボタンであったとき、タイマーを起動するようになっている起動サブユニット、
前記タイマーの時間が所定の時間に達する前に第２のボタンパラメータが取得された場合、前記少なくとも２つのボタンを逐次トリガーするイベントが取得されたと判定するようになっている判定サブユニット
を含む請求項１１に記載の装置。
【請求項１３】
前記第１の取得サブユニットが、任意のボタンがトリガーされたことが検出されたとき、タイマーにおいてｏｎＫｅｙＥｖｅｎｔ関数を呼び出し、ｋｅｙＥｖｅｎｔ関数を呼び出し、更に、ｇｅｔＫｅｙＣｏｄｅ関数を呼び出し、
前記ｇｅｔＫｅｙＣｏｄｅ関数に従って前記第１のボタンパラメータを取得するようになっている請求項１２に記載の装置。
【請求項１４】
前記取得モジュールが、現在モードパラメータを取得し、
ディスプレイモードとモードパラメータとの間の対応関係に従って前記現在モードパラメータに対応する現在ディスプレイモードを取得するようになっている請求項１０から１３のいずれかに記載の装置。
【請求項１５】
前記取得モジュールが、前記モードパラメータが第１のパラメータであったとき、前記ディスプレイモードとモードパラメータとの間の対応関係に従って、前記第１のパラメータに対応する現在ディスプレイモードを前記フルスクリーンモードとして取得するようになっており、
前記取得モジュールが、前記モードパラメータが第２のパラメータであったとき、前記ディスプレイモードとモードパラメータとの間の対応関係に従って、前記第２のパラメータに対応する現在ディスプレイモードを前記左方スケーリングモードとして取得するようになっており、
前記取得モジュールが、前記モードパラメータが第３のパラメータであったとき、前記ディスプレイモードとモードパラメータとの間の対応関係に従って、前記第３のパラメータに対応する現在ディスプレイモードを前記右方スケーリングモードとして取得するようになっている請求項１４に記載の装置。
【請求項１６】
前記切り換えモジュールが、
前記少なくとも２つのボタンを逐次トリガーするイベントに従って前記少なくとも２つのボタンの前記トリガー方式を連続タップモードと判定するようになっている判定ユニット、
前記連続タップモード及び前記現在ディスプレイモードに従って、前記スクリーンのディスプレイモードを切り換えるようになっている切り換えユニット
を含む請求項１０から１５のいずれかに記載の装置。
【請求項１７】
前記連続タップモードが、左にスライドさせる連続タップ及び右にスライドさせる連続タップを含み、
前記判定ユニットが、トリガーされたボタンが少なくとも前記第１のボタン及び前記第２のボタンを含み且つ前記少なくとも２つのボタンにおけるタッチ操作のスライド経路が左向きであったとき、前記少なくとも２つのボタンの前記トリガー方式を前記左にスライドさせる連続タップと判定するようになっており、
前記判定ユニットが、トリガーされたボタンが少なくとも前記第３のボタン及び前記第２のボタンを含み且つ前記少なくとも２つのボタンにおけるタッチ操作のスライド経路が右向きであったとき、前記少なくとも２つのボタンの前記トリガー方式を前記右にスライドさせる連続タップと判定するようになっている請求項１６に記載の装置。
【請求項１８】
前記切り換えユニットが、前記連続タップモードが前記左にスライドさせる連続タップであり且つ前記現在ディスプレイモードが前記フルスクリーンモードであったとき、前記フルスクリーンモードを前記左方スケーリングモードに切り換えるようになっており、
前記切り換えユニットが、前記連続タップモードが前記右にスライドさせる連続タップであり且つ前記現在ディスプレイモードが前記フルスクリーンモードであったとき、前記フルスクリーンモードを前記右方スケーリングモードに切り換えるようになっており、
前記切り換えユニットが、前記連続タップモードが前記左にスライドさせる連続タップであり且つ前記現在ディスプレイモードが前記左方スケーリングモードであったとき、前記左方スケーリングモードを前記フルスクリーンモードに切り換えるようになっており、
前記切り換えユニットが、前記連続タップモードが前記右にスライドさせる連続タップであり且つ前記現在ディスプレイモードが前記左方スケーリングモードであったとき、前記左方スケーリングモードを前記右方スケーリングモード又は前記フルスクリーンモードに切り換えるようになっており、
前記切り換えユニットが、前記連続タップモードが前記左にスライドさせる連続タップであり且つ前記現在ディスプレイモードが前記右方スケーリングモードであったとき、前記右方スケーリングモードを前記左方スケーリングモード又は前記フルスクリーンモードに切り換えるようになっており、
前記切り換えユニットが、前記連続タップモードが前記右にスライドさせる連続タップであり且つ前記現在ディスプレイモードが前記右方スケーリングモードであったとき、前記右方スケーリングモードを前記フルスクリーンモードに切り換えるようになっている請求項１７に記載の装置。
【請求項１９】
コンピュータ上での実行時に、請求項１から９のいずれかに記載のディスプレイモードを切り換える方法を前記コンピュータに実行させるためのコンピュータプログラム。
【請求項２０】
請求項１９に記載のコンピュータプログラムが保存されているコンピュータ可読記憶媒体。
【国際調査報告】
2017510915.tif 000019
2017510915.tif 000020
2017510915.tif 000021
2017510915.tif 000022